(57)【特許請求の範囲】
【請求項１】
正面板(1)、一対の側面板(2)及び背面板(3)が角筒状の周壁を形成し、前記一対の側面板(2)の下端に一対の内底フラップ(4)が、前記正面板(1)及び背面板(3)のいずれか一方の下端に中底板(5)が、他方の下端に外底板(6)がそれぞれ連設され、前記一対の側面板(2)の上端に一対の内蓋フラップ(7)が、前記正面板(1)及び背面板(3)のいずれか一方の上端に中蓋板(8)が、他方の上端に外蓋板(9)がそれぞれ連設され、
前記外蓋板(9)の基部両端間には、開封用の切目線(11)が押込部(11a)を形成するように入れられ、前記外底板(6)の基部両端間には、解体用の切目線(12)が入れられ、
前記一対の内底フラップ(4)、中底板(5)及び外底板(6)が順次折り重ねられ、中底板(5)と外底板(6)の貼着により底面が閉止されると共に、前記一対の内蓋フラップ(7)、中蓋板(8)及び外蓋板(9)が順次折り重ねられ、中蓋板(8)と外蓋板(9)の貼着により天面が閉止されて封緘されるシールエンドカートンにおいて、
前記解体用の切目線(12)は、押込部を形成することなく、前記外底板(6)の基部稜線に沿い、誘導部(12a)を有する切目が左右対称となるように断続するものとされ、
前記一対の内底フラップ(4)には、前記外底板(6)の基部寄りの部分に切欠部(13)が形成されると共に、前記中底板(5)の基部寄りの部分に角部から斜め方向に延びる谷折線(14)が入れられていることを特徴とするシールエンドカートン。
【発明の詳細な説明】
【技術分野】
【０００１】
この発明は、医薬品の包装に適したシールエンドカートンに関するものである。
【背景技術】
【０００２】
従来より、医薬品の包装には、図７に示すようなシールエンドカートンが使用されている（下記特許文献１参照）。このシールエンドカートンは、正面板５１、一対の側面板５２及び背面板５３が角筒状の周壁を形成し、一対の側面板５２の下端に内底フラップ５４が、背面板５３の下端に中底板５５が、正面板５１の下端に外底板５６がそれぞれ連設され、一対の側面板５２の上端に内蓋フラップ５７が、背面板５３の上端に中蓋板５８が、正面板５１の上端に外蓋板５９がそれぞれ連設された構成となっている。
【０００３】
また、このシールエンドカートンでは、外蓋板５９の基部両端間に開封用の切目線６１が正面板５１側に押込部６１ａを形成するように入れられ、外底板５６の基部両端間に解体用の切目線６２が押込部６２ａを形成するように入れられている。
【０００４】
上記のようなシールエンドカートンは、一対の内底フラップ５４、中底板５５及び外底板５６が順次折り重ねられ、中底板５５と外底板５６の貼着により底面が閉止されると共に、一対の内蓋フラップ５７、中蓋板５８及び外蓋板５９が順次折り重ねられ、中蓋板５８と外蓋板５９の貼着により天面が閉止されて封緘される。
【０００５】
このとき、シールエンドカートンの内部には、医薬品Ｍが収納され、その上部に被せるように、医薬品Ｍの効能や用法・用量、禁忌事項、副作用等の注意事項が記載された添付文書Ｄが収納される。
【０００６】
上記シールエンドカートンを開封する際には、上方の押込部６１ａを押し込んで切目線６１を切断し、中蓋板５８と外蓋板５９とを貼り合わされた状態で開き、一対の内蓋フラップ５７を開いて、天面側を開口させ、その開口部から添付文書Ｄを取り出した後、医薬品Ｍを取り出す。
【０００７】
また、上記シールエンドカートンを廃棄する際には、下方の押込部６２ａを押し込んで切目線６２を切断し、中底板５５と外底板５６とを貼り合わされた状態で開き、一対の内底フラップ５４を開いて、開封時に開いた天面側だけでなく底面側も開口させ、周壁を偏平に押し潰すことにより、嵩張らない折畳状態に解体する。
【先行技術文献】
【特許文献】
【０００８】
【特許文献１】特開２０１５−２０５７０５号公報
【発明の概要】
【発明が解決しようとする課題】
【０００９】
しかしながら、上記のようなシールエンドカートンでは、医薬品を使用しようとする者が開封する際、誤って下方の押込部６２ａを押し込んで底面側を開いてしまい、医薬品Ｍだけを取り出して、添付文書Ｄを読まないまま廃棄してしまう恐れがあり、医薬品Ｍの使用時の注意事項が守られない危険性がある。
【００１０】
そこで、この発明は、医薬品の添付文書が確実に取り出され、廃棄時の解体も容易なシールエンドカートンを提供することを課題とする。
【課題を解決するための手段】
【００１１】
上記課題を解決するため、この発明は、正面板、一対の側面板及び背面板が角筒状の周壁を形成し、前記一対の側面板の下端に一対の内底フラップが、前記正面板及び背面板のいずれか一方の下端に中底板が、他方の下端に外底板がそれぞれ連設され、前記一対の側面板の上端に一対の内蓋フラップが、前記正面板及び背面板のいずれか一方の上端に中蓋板が、他方の上端に外蓋板がそれぞれ連設され、
前記外蓋板の基部両端間には、開封用の切目線が押込部を形成するように入れられ、前記外底板の基部両端間には、解体用の切目線が入れられ、
前記一対の内底フラップ、中底板及び外底板が順次折り重ねられ、中底板と外底板の貼着により底面が閉止されると共に、前記一対の内蓋フラップ、中蓋板及び外蓋板が順次折り重ねられ、中蓋板と外蓋板の貼着により天面が閉止されて封緘されるシールエンドカートンにおいて、
前記解体用の切目線は、押込部を形成することなく、前記外底板の基部稜線に沿い、誘導部を有する切目が左右対称となるように断続するものとされ、
前記一対の内底フラップには、前記外底板の基部寄りの部分に切欠部が形成されると共に、前記中底板の基部寄りの部分に角部から斜め方向に延びる谷折線が入れられているものとしたのである。
【発明の効果】
【００１２】
この発明に係るシールエンドカートンでは、下方に位置する解体用の切目線が押込部を形成するものではないため、医薬品の使用者が開封しようとする際、誤って下方の切目線を切断して底面側を開いてしまうことがなく、必然的に、上方の押込部を押し込んで天面側を開口させ、医薬品を取り出そうとするので、添付文書が確実に取り出されることとなり、医薬品の使用前に添付文書を読むことを促すことができる。
【００１３】
そして、廃棄に際し、天面が開口した状態で、正面板と背面板を互いに接近する方向へ押圧しつつ、左右いずれかの方向へずらすことにより、周壁を押し潰すだけで、解体用の切目線が切断され、内底フラップが切欠部の存在により正面板に干渉することなく、谷折線に沿った折れ曲がりに伴い、中底板に干渉することもなく開き、中底板と外底板とが貼り合わされた状態で開くので、嵩張らない折畳状態に容易に解体できる。
【図面の簡単な説明】
【００１４】
【図１】この発明の実施形態に係るシールエンドカートンのブランクを示す図
【図２】同上の製造時における折畳状態を示す斜視図
【図３】同上の組立封緘状態を示す斜視図
【図４】同上の天面側の開封状態を示す斜視図
【図５】同上の解体時の折畳過程を示す斜視図
【図６】同上の解体時の折畳状態を示す斜視図
【図７】従来のシールエンドカートンの組立封緘状態を示す斜視図
【発明を実施するための形態】
【００１５】
以下、この発明の実施形態を添付図面に基づいて説明する。
【００１６】
このシールエンドカートンは、図１に示すような板紙のブランクから形成される。このブランクでは、横方向に並列するように正面板１の一側に側面板２が連設され、正面板１の他側に側面板２、背面板３及び継代片３ａが順次連設されている。一対の側面板２の下端には内底フラップ４が、背面板３の下端には中底板５が、正面板１の下端には外底板６がそれぞれ連設され、一対の側面板２の上端には内蓋フラップ７が、背面板３の上端には中蓋板８が、正面板１の上端には外蓋板９がそれぞれ連設されている。
【００１７】
外蓋板９の基部両端間には、開封用の切目線１１が入れられている。切目線１１は、切目がミシン目状に断続するものであり、外蓋板９の基部稜線に沿い、中間部が正面板１側に湾曲して半円状の押込部１１ａを形成している。
【００１８】
外底板６の基部両端間には、解体用の切目線１２が入れられている。切目線１２は、押込部を形成することなく、外底板６の基部稜線に沿い、中央に位置する水平方向の切目を挟んで、誘導部１２ａを有する鉤状の切目が左右対称となるように断続するものとされている。誘導部１２ａは、各切目において切目線１２の中央寄りに位置している。
【００１９】
一対の内底フラップ４には、組立状態で外底板６の基部寄りとなる部分に斜縁を有する切欠部１３が形成されると共に、中底板５の基部寄りとなる部分に角部から斜め方向に延びる谷折線１４が入れられている。谷折線１４は、表面側が窪む谷折りが可能となるように、押罫に断続する切目を入れたリード罫とされている。
【００２０】
上記のようなブランクは、図２に示すように、一方の側面板２と背面板３の境界に沿って折り曲げられると共に、正面板１と他方の側面板２の境界に沿って折り曲げられ、継代片３ａが他方の側面板２の裏面に貼り付られた折畳状態として、紙器製造業者から医薬品製造業者に納入される。
【００２１】
そして、医薬品製造業者の包装ラインにおいて、図３に示すように、正面板１、一対の側面板２及び背面板３から角筒状の周壁が形成され、一対の内底フラップ４、中底板５及び外底板６を順次折り重ねられ、中底板５と外底板６の貼着により底面が閉止される。また、一対の内蓋フラップ７、中蓋板８及び外蓋板９が順次折り重ねられ、中蓋板８と外蓋板９の貼着により天面が閉止されて封緘される。
【００２２】
このとき、シールエンドカートンの内部には、医薬品Ｍが収納され、その上部に被せるように、医薬品Ｍの効能や用法・用量、禁忌事項、副作用等の注意事項が記載された添付文書Ｄが収納される。
【００２３】
そして、医薬品Ｍの使用者が上記シールエンドカートンを開封する際には、上方の押込部１１ａを押し込んで切目線１１を切断し、図４に示すように、中蓋板８と外蓋板９とを貼り合わされた状態で開き、一対の内蓋フラップ７を開いて、天面側を開口させ、その開口部から添付文書Ｄを取り出した後、医薬品Ｍを取り出す。
【００２４】
この開封に際し、上記シールエンドカートンでは、下方に位置する解体用の切目線１２が押込部を形成するものではないため、医薬品Ｍの使用者が、誤って下方の切目線１２を切断して底面側を開いてしまうことがなく、必然的に上方の押込部１１ａを押し込んで天面側を開口させ、医薬品Ｍを取り出そうとするので、添付文書Ｄが確実に取り出されることとなり、医薬品Ｍの使用前に添付文書Ｄを読むことを促すことができる。
【００２５】
一方、上記シールエンドカートンを廃棄する際には、天面が開口した状態で、図５に示すように、正面板１と背面板３を互いに接近する方向へ押圧しつつ、左右いずれかの方向へずらして側面板２を倒すことにより、周壁を押し潰すと、解体用の切目線１２が切断され、一方の内底フラップ４が谷折線１４に沿って折れ曲がりつつ開き、中底板５と外底板６とが貼り合わされた状態で開く。
【００２６】
この押し潰しに際し、内底フラップ４の正面板１に対する干渉は、切欠部１３により回避され、内底フラップ４の中底板５に対する干渉は、谷折線１４に沿った折れ曲がりにより回避されるので、内底フラップ４によって押し潰しが阻害されることがない。
【００２７】
このように、上記シールエンドカートンは、側面板２を左右いずれの方向へ倒すように押し潰しても、図６に示すように、偏平で嵩張らない折畳状態に容易に解体できるので、廃棄に際し、余計な手間がかかることもない。
【００２８】
なお、上記実施形態では、背面板３に中底板５及び中蓋板８が連設され、正面板１に外底板６及び外蓋板９が連設されたものを例示したが、中底板５及び中蓋板８並びに外底板６及び外蓋板９は、それぞれ正面板１及び背面板３のいずれに連設されていてもよく、これらに互い違いに連設されていてもよい。
【符号の説明】
【００２９】
１  正面板
２  側面板
３  背面板
３ａ  継代片
４  内底フラップ
５  中底板
６  外底板
７  内蓋フラップ
８  中蓋板
９  外蓋板
１１  切目線
１１ａ  押込部
１２  切目線
１２ａ  誘導部
１３  切欠部
１４  谷折線
Ｄ  添付文書
Ｍ  医薬品
【図１】
0006046293.tif 000002
【図２】
0006046293.tif 000003
【図３】
0006046293.tif 000004
【図４】
0006046293.tif 000005
【図５】
0006046293.tif 000006
【図６】
0006046293.tif 000007
【図７】
0006046293.tif 000008